(57)【要約】      （修正有）【課題】作動不能の危険性が伴うモーターを不要とし、創傷清拭に適した噴霧円錐を生成する医療用噴霧装置を提供する。【解決手段】医療用噴霧装置、特に洗浄システムに関するものであり、医療用洗浄液１８用の液体タンクおよび圧縮ガスタンク４を含んでおり、当該洗浄液が当該洗浄液に作用する圧縮ガスタンクのガス圧によってノズル２４を通して押圧され噴霧円錐を生成できるように、当該圧縮ガスタンクは圧力ライン９を通して当該液体タンクに接続可能であり、少なくとも一つの圧力逃し弁１４，１５が当該圧力ラインの壁に配置されており、圧縮ガスタンクからのガス圧に従って外側に開き当該圧力ラインを閉じる。【選択図】図１
2014236973.tif 000002
【特許請求の範囲】
【請求項１】
創傷を洗浄するための医療用噴霧装置、特に洗浄システムにおいて、医療用洗浄液（１８）用の液体タンク（１６）または斯かる液体タンク（１６）用の接続部および圧縮ガスタンク（４）を含み、前記洗浄液（１８）が前記洗浄液（１８）に作用する前記圧縮ガスタンクのガス圧によってノズル（２４，５２）を通して押圧され噴霧円錐を生成できるように、前記圧縮ガスタンク（４）は圧力ライン（９）を通して前記液体タンク（１６）に接続されるか接続可能であり、少なくとも一つの圧力逃し弁（１４，１５）が前記圧力ライン（９）の壁に配置されており、前記圧縮ガスタンク（４）からのガス圧に従って外側に開き前記圧力ライン（９）を閉じることを特徴とする、噴霧装置。
【請求項２】
請求項１に記載の噴霧装置において、前記液体タンク（１６）は液体ライン（２２）を通して前記ノズル（２４，５２）に接続されるか接続可能であり、手動操作可能なバルブ要素（３０）が前記液体ライン（２２）に配置され、それは好ましくは前記洗浄液の体積流量を制御するのに適しており、特に好ましくはトリガー（３２）を用いて作動可能であることを特徴とする、噴霧装置。
【請求項３】
請求項１または２に記載の噴霧装置において、前記液体タンク（１６）は前記圧力ライン（９）および／または前記液体ライン（２２）を通して前記噴霧装置に接続されるか接続可能な前記医療用洗浄液（１８）を含む瓶（１６）であり、好ましくは前記液体ライン（２２）および前記圧力ライン（９）が手術中に頭部を下にして配置された前記瓶（１６）の同じ開口部から吐出されることを特徴とする、噴霧装置。
【請求項４】
請求項１〜３のいずれか一項に記載の噴霧装置において、前記液体タンク（１６）は弾力性の壁により境界を定められており、前記壁は前記ガス圧の作用により弾力的に変形するので、前記ガス圧が減少した場合に前記液体タンク（１６）の体積が減少し、その結果、前記洗浄液（１８）が前記ノズル（２４，５２）を通して前記液体タンク（１６）から押し出されることを特徴とする、噴霧装置。
【請求項５】
請求項１〜４のいずれか一項に記載の噴霧装置において、前記圧縮ガスタンク（４）は圧縮ガスカートリッジ（４）、好ましくは液化ガスカートリッジ、特に好ましくはＣＯ２カートリッジであり、前記圧力ライン（９）に着脱可能に接続されるか接続可能であり、前記圧縮ガスカートリッジ（４）は、好ましくは前記圧縮ガスカートリッジ（４）用の開口手段を通して前記圧力ライン（９）に接続されるか接続可能であることを特徴とする、噴霧装置。
【請求項６】
請求項５に記載の噴霧装置において、前記圧縮ガスカートリッジから送られる液化ガスの液体成分を蒸発させる蒸発空間（１０）が、前記圧縮ガスカートリッジ（４）用の前記接続部と前記圧力逃し弁（１４，１５）との間の前記圧力ライン（９）に配置されており、前記蒸発する液化ガスが前記ガス圧を生み出すことを特徴とする、噴霧装置。
【請求項７】
請求項５または６に記載の噴霧装置において、手動操作可能バルブが、前記圧力ライン（９）の前記圧縮ガスカートリッジ（４）接続部に配置されていることを特徴とする、噴霧装置。
【請求項８】
請求項１〜４のいずれか一項に記載の噴霧装置において、前記圧縮ガスタンク（４）は圧縮ポンプに接続されており、前記圧縮ポンプは好ましくはフレキシブルラインを通して前記噴霧装置に接続されていることを特徴とする、噴霧装置。
【請求項９】
請求項１〜８のいずれか一項に記載の噴霧装置において、減圧弁（１２）が前記圧力ライン（９）、好ましくは前記圧力逃し弁（１４，１５）と前記圧縮ガスタンク（４）との間に配置されており、それは前記液体タンク（１６）の前記洗浄液（１８）に作用する前記ガス圧を制限することを特徴とする、噴霧装置。
【請求項１０】
請求項９に記載の噴霧装置において、少なくとも一つの安全要素が前記減圧弁と前記液体タンク（１６）との間に配置され、特に破裂ディスクおよび／または第二圧力逃し弁であり、前記圧縮ガスタンク（４）側で前記減圧弁にかかる前記ガス圧を制限することを特徴とする、噴霧装置。
【請求項１１】
請求項１〜１０のいずれか一項に記載の噴霧装置において、前記ノズル（２４，５２）はいくつかの開口部を有し、前記開口部から出される前記洗浄液の噴射が前記ノズル（２４，５２）の霧化空間（３８，５７）でぶつかり合い、その結果、霧化された前記洗浄液（１８）から前記噴霧円錐（５８）を生成ように、前記開口部は互いに角度をなして配置されていることを特徴とする、噴霧装置。
【請求項１２】
請求項１１に記載の噴霧装置において、前記ノズル（２４，５２）は、中央の主要噴射を生成するための中心開口部および前記中心開口部の周りに配置された複数の外側開口部を有し、主要開口部に対して互いに反対側に位置している外側開口部は、好ましくは前記主要噴射の方向に同じ角度で傾いていることを特徴とする、噴霧装置。
【請求項１３】
請求項１１または１２に記載の噴霧装置において、少なくとも二つの注入開口部が前記ノズル（２４，５２）の液体注入口に配置されているので、前記ノズル（２４，５２）の内部に入って来る前記洗浄液（１８）は少なくとも二つの洗浄液の流れに分けられ、前記流れは、少なくとも二つの洗浄液噴射が前記ノズル（２４，５２）の吐出開口部の前方で少なくとも１０度の角度でぶつかり合い、好ましくは前記洗浄液噴射が１０度と８５度の間の角度、特に好ましくは１５度と４５度の間の角度でぶつかり合うように、前記ノズル（２４，５２）を通って少なくとも二つの開口部に送られることを特徴とする、噴霧装置。
【請求項１４】
請求項１〜１３のいずれか一項に記載の噴霧装置において、ガス（２０）が前記液体タンク（１６）中の前記洗浄液（１８）の上部に含まれており、このガス（２０）により、前記洗浄液（１８）の表面を通して前記洗浄液（１８）に圧力を加えることができることを特徴とする、噴霧装置。
【請求項１５】
請求項１〜１４のいずれか一項に記載の噴霧装置において、前記ノズル（２４，５２）は吐出パイプ（３４，５４）の先端に提供されており、前記吐出パイプ（３４，５４）は好ましくは前記噴霧装置に対して前記吐出パイプ（３４，５４）の軸方向に望遠鏡方式に移動可能に配置され、および／または前記吐出パイプ（３４，５４）は少なくとも３０度の角度で軸方向に回転可能に取り付けられていることを特徴とする、噴霧装置。
【請求項１６】
感染組織清拭用の噴霧円錐生成のための、請求項１〜１５のいずれか一項に記載の医療用噴霧装置の使用。
【請求項１７】
特に請求項１〜１５のいずれか一項に記載の噴霧装置を使って医療用洗浄液（１８）の噴霧円錐（５８）を生成する方法であって、ガス圧は圧縮ガスタンク（４）から圧力ライン（９）を通して前記医療用洗浄液（１８）の液体タンク（１６）に運ばれ、前記洗浄液（１８）は前記ガス圧によりノズル（２４，５２）を通して前記液体タンク（１６）から押し出され、前記噴霧円錐（５８）は前記洗浄液（１８）が前記ノズル（２４，５２）を通って流れるときに生成され、もし前記圧力ライン（９）の制限圧を超えると、前記圧力ライン（９）にある少なくとも一つの圧力逃し弁（１４，１５）が開いて圧縮ガスは周囲の環境に流され、前記圧力ラインの圧力は減少するか好ましくは制限される、方法。
【請求項１８】
請求項１７に記載の方法において、前記ガス圧は液体ガスカートリッジ（４）特にＣＯ２カートリッジ（４）からのガスを蒸発させることにより生成され、前記ガスは、好ましくは、前記圧力逃し弁（１４，１５）の方向に運ばれる前に、蒸発空間（１０）の中で部分的に液化されることを特徴とする、方法。
【請求項１９】
請求項１７または１８に記載の方法において、前記ガス圧は前記圧力ライン（９）の減圧弁を用いて制限され、前記減圧弁によって制限された前記ガス圧は前記圧力ライン（９）を通して前記医療用洗浄液（１８）の前記液体タンク（１６）に運ばれ、前記制限圧を超えた場合には、好ましくは前記減圧弁と前記液体タンク（１６）との間の前記ガス圧が減少するか好ましくは制限されることを特徴とする、方法。
【請求項２０】
請求項１７または１８に記載の方法において、前記洗浄液（１８）は前記ノズル（２４，５２）中の複数の開口部分を通して押し出され、斯くして生成された前記洗浄液は、前記洗浄液が前記ノズル（２４，５２）の前方で霧化され前記噴霧円錐（５８）を形成できるような流量および角度で互いの方向に発射されることを特徴とする、方法。
【発明の詳細な説明】
【技術分野】
【０００１】
本発明は創傷を洗浄するための医療用噴霧装置、特に洗浄システム、並びに斯かる噴霧装置の使用に関する。
【０００２】
更に、本発明は、医療用噴霧装置を用いた噴霧円錐の作製方法にも関する。
【０００３】
従って、本発明は、外傷外科および整形外科に使用される、圧縮ガス駆動の医療用噴霧装置に関する。
【背景技術】
【０００４】
医療分野において、医療用噴霧装置は洗浄装置と呼ばれることが多い。洗浄システムは、組織部分を洗浄するため、手術（ＯＰ）中に広範に使用される。洗浄液としては、生理食塩水およびリンゲル液が頻繁に使用される。洗浄システムを用いて洗浄液から噴霧円錐または噴霧用噴射が生成され、それが洗浄対象の組織部分に衝突し、その結果、斯かる組織部分に機械的な洗浄効果がもたらされる。特に、洗浄システムは、関節用の内部人工器官および敗血症の修正手術の場合に重要である（非特許文献１、２、３、４）。パルス方式洗浄システムは（特許文献１、２、３）によって知られている。
【０００５】
現在市販されている洗浄システムは、電気モーター（例えば、Ｓｔｒｙｋｅｒ  ＧｍｂＨ  ＆  Ｃｏ．ＫＧによるＩｎｔｅｒＰｕｌｓｅ（登録商標）  Ｊｅｔ  Ｌａｖａｇｅ）または圧縮空気（例えば、Ｈｅｒａｅｕｓ  Ｍｅｄｉｃａｌ  ＧｍｂＨによるＰＡＬＡＶＡＧＥ（登録商標））によって駆動される。しかし、電気的に駆動される洗浄システムの場合、蓄電池電槽またはアキュムレーター電槽を絶えず持ち運ばなければならず、当然充電量には限界がある。蓄電池およびアキュムレーターは、環境に優しいか否かの点で批判の対象となる。圧縮空気は手術室で無制限に入手できることが多く、従って洗浄液はエネルギーに制限を付すことなく好きなだけ噴霧できるので、そういう意味で、圧縮空気駆動の洗浄システムは有利である。
【０００６】
圧縮空気または別の圧縮ガスによって駆動されるシステムの場合、駆動目的のために圧縮ガスモーターが通常使用される。洗浄システム用の圧縮ガスモーターは、ほとんどがマルチディスク圧縮ガスモーターである。圧縮ガスモーターは回転運動を生み、それが次に往復直線運動に変換される。往復直線運動は、少量の洗浄媒体をパルス状にするのに使用される。洗浄液にパルスを伝達可能とするため、少なくとも一枚の膜が駆動装置と洗浄液流入の間に通常配置される。斯くして、一分間に２０００乃至３０００パルスという高パルス繰り返し数の噴霧が生み出される。つまり、対応する高回転速度に耐えるには、圧縮ガスモーターをかなり精密に製造しなければならないと言うことである。更に、それ相応の安定した据え付けも提供しなければならない。斯かる理由により、圧縮ガスモーターは、圧縮空気駆動の従来の洗浄システムにおいて最も高価な構成要素である。従って、圧縮ガスモーターは、適切な準備および滅菌をして何度も使用できるように、金属製または長期間安定な他の素材製のハンドルに通常設置される。
【先行技術文献】
【特許文献】
【０００７】
【特許文献１】米国特許４，５８３，５３１号明細書
【特許文献２】米国特許４，２７８，０７８号明細書
【特許文献３】米国特許５，５４２，９１８号明細書
【非特許文献】
【０００８】
【非特許文献１】Ｒ．Ｍ．Ｓｈｅｒｍａｎ  ｅｔ  ａｌ．：Ｔｈｅ  ｒｏｌｅ  ｏｆ  ｌａｖａｇｅ  ｉｎ  ｐｒｅｖｅｎｔｉｎｇ  ｈｅｍｏｄｙｎａｍｉｃ  ａｎｄ  ｂｌｏｏｄ−ｇａｓ  ｃｈａｎｇｅｓ  ｄｕｒｉｎｇ  ｃｅｍｅｎｔｅｄ  ａｒｔｈｒｏｐｌａｓｔｙ．Ｊ．Ｂｏｎｅ  Ｊｏｉｎｔ  Ｓｕｒｇ．１９８３；６５−Ａ：５００−５０６．
【非特許文献２】Ｓ．Ｊ．Ｂｒｅｕｓｃｈ  ｅｔ  ａｌ．：Ｌａｖａｇｅ  ｔｅｃｈｎｉｑｕｅ  ｉｎ  ＴＨＡ：Ｊｅｔ−ｌａｖａｇｅ  Ｐｒｏｄｕｃｅｓ  Ｂｅｔｔｅｒ  Ｃｅｍｅｎｔ  Ｐｅｎｅｔｒａｔｉｏｎ  Ｔｈａｎ  Ｓｙｒｉｎｇｅ−Ｌａｖａｇｅ  ｉｎ  ｔｈｅ  Ｐｒｏｘｉｍａｌ  Ｆｅｍｕｒ．Ｊ．Ａｒｔｈｒｏｐｌａｓｔｙ．２００；１５（７）：９２１−９２７．
【非特許文献３】Ｒ．Ｊ．Ｂｙｒｉｃｋ  ｅｔ  ａｌ．：Ｈｉｇｈ−ｖｏｌｕｍｅ  ｈｉｇｈ  ｐｒｅｓｓｕｒｅ  ｐｕｌｓａｔｉｌｅ  ｌａｖａｇｅ  ｄｕｒｉｎｇ  ｃｅｍｅｎｔｅｄ  ａｒｔｈｒｏｐｌａｓｔｙ．Ｊ．Ｂｏｎｅ  Ｊｏｉｎｔ  Ｓｕｒｇ．１９８９；８１−Ａ：１３３１−１３３６．
【非特許文献４】Ｊ．Ｃｈｒｉｓｔｉｅ  ｅｔ  ａｌ．：Ｍｅｄｕｌｌａｒｙ  ｌａｖａｇｅ  ｒｅｄｕｃｅｓ  ｅｍｂｏｌｉｃ  ｐｈｅｎｏｍｅｎａ  ａｎｄ  ｃａｒｄｉｏｐｕｌｍｏｎａｒｙ  ｃｈａｎｇｅｓ  ｄｕｒｉｎｇ  ｃｅｍｅｎｔｅｄ  ｈｅｍｉａｒｔｈｒｏｐｌａｓｔｙ．Ｊ．Ｂｏｎｅ  Ｊｏｉｎｔ  Ｓｕｒｇ．１９９５；７７−Ｂ：４５６−４５９．
【発明の概要】
【発明が解決しようとする課題】
【０００９】
構造が比較的複雑であり、従って高価であるというのが、多くの既知の洗浄システムが抱える欠点である。モーター付きの構造のため、モーターの作動不能、ひいては洗浄システムの機能不能の危険性が必ず伴う。複数回使用の場合は、洗浄システムには消毒と準備が必要である。消毒中に失敗が生じる可能性があるので、患者の創傷への雑菌混入、ひいては複雑性感染症の発症の可能性を否定することはできない。モーターが手術中に引き起こす雑音も、医療当事者にとっては厄介かつ面倒な問題である。
【課題を解決するための手段】
【００１０】
従って、本発明の目的の一つは、従来技術の欠点を乗り越えることである。特に、できるだけ低価格で製造でき、創傷清拭に適した噴霧円錐を生成する医療用噴霧装置を提供することである。
【００１１】
本発明の更なる目的は、容易に製造でき、できるだけ単純な構造であり、一度だけの使用が可能な医療用噴霧装置を開発することである。噴霧装置の製造は最大限に単純化され、最低限の部品で構成されるべきである。装置は可能な限り蓄電池もアキュムレーターも含むべきではない。更に、噴霧装置は、その配置場所の如何に拘わらず、外部エネルギー源とは独立して操作可能でなければならない。開発されるべき噴霧装置は、低価格のプラスチック射出成形部品から実質的に製造可能でなければならない。装置は医療用洗浄装置を駆動し、洗浄液の水滴で構成される噴射円錐または噴霧円錐を生成できるものであり、斯かる洗浄液の水滴は洗浄円錐中にランダムに分布されるべきである。
【００１２】
本発明の目的は、医療用洗浄液用の液体タンクまたは斯かる液体タンク用の接続部および圧縮ガスタンクを含んでなる、創傷を洗浄するための医療用噴霧装置、特に洗浄システムによって達成され、ここで圧縮ガスタンクは、洗浄液が当該洗浄液に作用する圧縮ガスタンクのガス圧によってノズルを通して押圧され噴霧円錐を生成できるように、圧力ラインを通して液体タンクに接続されるか接続可能であり、少なくとも一つの圧力逃し弁が圧力ラインの壁に配置されており、圧縮ガスタンクからのガス圧に従って外側に開き圧力ラインを閉じるようになっている。
【００１３】
本発明によれば、圧力逃し弁は５バールと１０バールの間の制限圧で開くのが好ましい。
【００１４】
圧力逃し弁を配置することによってのみ、圧力ラインからのガス圧が医療用洗浄液に直接作用できるようになり、モーターを含まない斯かる構造の噴霧装置に超過圧力の斯かる危険性が生じなくなる。
【００１５】
本発明の洗浄装置の場合、液体タンクは液体ラインを通してノズルに接続されるか接続可能であり、手動操作可能なバルブ要素が液体ラインに配置されているが、それは好ましくは洗浄液の体積流量を制御するのに適しており、特に好ましくはトリガーを用いて作動可能である。
【００１６】
従って、噴霧円錐は手動により生成可能である。
【００１７】
更に、液体タンクは圧力ラインおよび／または液体ラインを通して噴霧装置に接続されるか接続可能な医療用洗浄液を含む瓶であってもよく、液体ラインおよび圧力ラインが手術中に頭部を下にして配置された当該瓶の同じ開口部から吐出されるのが好ましい。
【００１８】
当該瓶は圧力ラインおよび液体ラインを通して噴霧装置に接続されるか接続可能であるのが好ましい。本実施形態では、洗浄液を含む単独の瓶が使用できるので、洗浄液を予め装置に充填する必要がない。一つの瓶の中身以上の量が治療に必要になった場合には、瓶を容易に交換できる。
【００１９】
本発明の好ましい実施形態では、液体タンクは弾力性の壁により境界を定められており、当該壁はガス圧の作用により弾力的に変形するので、ガス圧が減少した場合に液体タンクの体積が減少し、その結果、洗浄液がノズルを通して液体タンクから押し出される。
【００２０】
瓶または壁には弾力性があるので、ガス圧が突然低下または変化しても、洗浄液は吐出可能である。
【００２１】
更に、本発明によれば、圧縮ガスタンクは圧縮ガスカートリッジ、好ましくは液化ガスカートリッジ、特に好ましくはＣＯ２カートリッジであり、圧力ラインに着脱可能に接続されるか接続可能であり、圧縮ガスカートリッジは、圧縮ガスカートリッジ用の開口手段を通して圧縮圧ラインに接続されるか接続可能であるのが好ましい。
【００２２】
圧縮ガスカートリッジを使用するということは、噴霧装置が外部の圧縮ガス源または電源とは独立していることを意味する。あるいは、噴霧装置に圧縮機および電力接続部またはアキュムレーターを備え付けてもよい。
【００２３】
圧縮ガスカートリッジを有する実施形態では、圧縮ガスカートリッジから送られる液化ガスの液体成分を蒸発させる蒸発空間が、圧縮ガスカートリッジ用の接続部と圧力逃し弁との間の圧力ラインに配置されてもよく、その場合、蒸発する液化ガスがガス圧を発生させる。
【００２４】
その結果、圧縮ガスカートリッジからのガスの液体成分またはその直後に生成される雪または他の濃縮物が圧力ラインの奥に貫入し、そこで干渉作用を発揮するのを防止できる。
【００２５】
更に、手動操作可能バルブが、圧力ラインの圧縮ガスカートリッジ接続部に配置されていてもよい。
【００２６】
そうすれば、噴霧装置を「準備完了」状態に切り替えることができる。
【００２７】
圧縮ガスカートリッジの代わりに、圧縮ガスタンクを圧縮ポンプに接続してもよく、その場合、圧縮ポンプはフレキシブルラインを通して噴霧装置に接続するのが好ましい。
【００２８】
圧縮ポンプは、例えば病院に設置されている大面積圧縮ガスネットワークの一部であってもよい。
【００２９】
本発明を発展させるにあたり、減圧弁を圧力ライン、好ましくは圧力逃し弁と圧縮ガスタンクとの間に配置してもよく、その場合、減圧弁は液体タンクの洗浄液に作用するガス圧を制限する。
【００３０】
減圧弁を設置することにより、圧力ラインの一部または液体タンクあるいは瓶の壁の一部を破壊する可能性を有している超過圧力が、下流に配置されている圧力ライン、ひいては液体タンクに確実に加わらないようにできる。
【００３１】
少なくとも一つの安全要素を減圧弁と液体タンクとの間に配置してもよく、それは特に破裂ディスクおよび／または第二圧力逃し弁であり、圧縮ガスタンク側で減圧弁にかかるガス圧を制限するものである。
【００３２】
従って、圧力逃し弁または減圧弁が故障した場合でも、噴霧装置を間違いなく安全に使用できる。
【００３３】
本発明の噴霧装置の特定の好ましい実施形態において、ノズルは複数の開口部を有し、その開口部は、開口部から出される洗浄液の噴射がノズルの霧化空間でぶつかり合い、その結果、霧化された洗浄液から噴霧円錐が生成されるように、互いに角度をなして配置される。
【００３４】
従って、モーターやノズルの可動部分を必要とせず最も単純なやり方で洗浄液の霧化が達成される。
【００３５】
洗浄液噴射は、ノズルの吐出開口部の中またはそのすぐ前方でぶつかり合うのが好ましい。
【００３６】
ノズルは、中央の主要噴射を生成するための中心開口部および中心開口部の周りに配置された複数の外側開口部を有していてもよく、その場合、主要開口部に対して互いに反対側に位置している外側開口部は、主要噴射の方向に同じ角度で傾いているのが好ましい。
【００３７】
本実施形態により洗浄液の好ましい霧化が達成され、それと同時に強力な噴射も実現される。
【００３８】
更に、少なくとも二つの注入開口部がノズルの液体注入口に配置されていてもよく、その場合、ノズルの内部に入って来る洗浄液は少なくとも二つの洗浄液の流れに分けられ、その流れは、少なくとも二つの洗浄液噴射がノズルの吐出開口部の前方で少なくとも１０度の角度でぶつかり合い、好ましくは洗浄液噴射が１０度と８５度の間の角度、特に好ましくは１５度と４５度の間の角度でぶつかり合うように、ノズルを通って少なくとも二つの開口部に送られる。
【００３９】
従って、ノズルは、構造を複雑にすることなく、噴霧円錐の生成に必要なあらゆる機能を遂行する。ノズルはプラスチックから容易に製造できる。
【００４０】
本発明では、ノズルの開口部は、開口部から出た洗浄液噴射が霧化空間および／またはノズルの吐出開口部でぶつかり合うように、互いに角度をなして配置されてもよい。
【００４１】
霧化空間における霧化は、霧化しない液滴がノズルの先端から離れたり、制御不能なやり方でしたたり落ちたりするのを防止する。従って、更に均一な噴霧円錐が達成される。
【００４２】
本発明を発展させるにあたり、ガスを液体タンク中の洗浄液の上部に含んでもよく、その場合、このガスにより、洗浄液の表面を通して洗浄液に圧力を加えることができる。
【００４３】
本発明を発展させるにあたり、ノズルは吐出パイプの先端に提供されてもよく、その場合、吐出パイプは噴霧装置に対して吐出パイプの軸方向に望遠鏡方式に移動可能に配置され、および／または吐出パイプは少なくとも３０度の角度で軸方向に回転可能に取り付けられているのが好ましい。
【００４４】
従って、噴霧装置は異なる条件および操作状態に充分適応させることができる。
【００４５】
本発明の目的は、感染組織清拭用の噴霧円錐生成のための斯かる医療用噴霧装置の使用によっても達成される。
【００４６】
更に、本発明の目的は、特に斯かる噴霧装置を使って医療用洗浄液の噴霧円錐を生成する方法によっても達成され、その場合、ガス圧は圧縮ガスタンクから圧力ラインを通して医療用洗浄液の液体タンクに運ばれ、洗浄液はガス圧によりノズルを通して液体タンクから押し出され、噴霧円錐は洗浄液がノズルを通って流れるときに生成され、もし圧力ラインの制限圧を超えると、圧力ラインにある少なくとも一つの圧力逃し弁が開いて圧縮ガスは周囲の環境に流され、圧力ラインの圧力は減少するか好ましくは制限される。
【００４７】
斯かる安全機構の故に、ガス圧を使って医療噴霧装置の噴霧円錐を直接生成させることが、危険を冒すことなく可能となる。
【００４８】
ガス圧は液体ガスカートリッジ、特にＣＯ２カートリッジからのガスを蒸発させることにより生成させることができ、その場合、ガスは、圧力逃し弁の方向に運ばれる前に、蒸発空間の中で部分的に液化されるのが好ましい。
【００４９】
更に、ガス圧は圧力ラインの減圧弁を用いて制限してもよく、その場合、減圧弁によって制限されたガス圧は圧力ラインを通して医療用洗浄液の液体タンクに運ぶことができ、制限圧を超えた場合には、減圧弁と液体タンクとの間のガス圧は減少させるか制限するのが好ましい。
【００５０】
更に、本発明によれば、洗浄液はノズル中の複数の開口部分を通して押し出すことができ、斯くして生成された洗浄液は、洗浄液がノズルの前方で霧化され噴霧円錐を形成できるような流量および角度で互いの方向に発射できる。
【００５１】
本発明は、一旦圧力逃し弁を開きノズルを通して医療用洗浄液を押し出したら、その圧力逃し弁の助けにより、斯かる洗浄液に作用するガス圧を提供できるという驚くべき発見に基づいており、その場合、超過圧力により医療用洗浄液用液体タンクの容器が破裂するほどにガス圧を大きくすることなく、洗浄液を霧化させ噴霧円錐を形成することができる。その結果、驚いたことに、単純なやり方でしかもあらゆる過去の噴霧装置とは対照的に、圧縮ガスを直接使用しないモーターなしの構造が初めて可能となった。本発明の洗浄システムは、洗浄液の駆動力としてガス圧を直接使用するので、洗浄液を駆動するのにモーターや回転部分または往復部分などは一切必要としない。従って、構造は単純化され、洗浄システムは一回使用の使い捨て商品として製造可能である。医療分野においては、洗浄システムの消毒工程で過ちが生じ雑菌が混入した洗浄システムを使用して患者が複雑性感染症に罹る場合があるので、使い捨て商品の製造は斯かる消毒の必要性がないという意味で有利である。加えて、全構造体が低価格で形成できる。
【００５２】
「前方」または「後」などの方向指示は、圧縮ガスまたは医療用洗浄液の流れる方向を表す。
【００５３】
本発明は、洗浄液容器中の洗浄液の上部にガス相が存在し、非毒性の圧縮ガスが該ガス相に導入されるので、上部に配置されたガス相は大気と比べて超過圧力の状態にあるという概念に基づいている。従って、洗浄液容器から洗浄液を押し出すことが可能である。
【００５４】
更に、本発明の概念では、予め決められた超過圧力（大気圧と比較して）となるまで、圧縮ガスは小さな圧縮ガスカートリッジまたは別の圧縮ガスタンクに導入される。少なくとも一つの圧力逃し弁が開かれ、ガスカートリッジからの過剰の圧縮ガスが周囲の環境に噴射される。しかし、洗浄液の上部の加圧ガス相はそのままである。洗浄液の上部の加圧ガス相は、その圧力が周囲の大気圧と均衡するまで膨張しようとする。従って、洗浄液は洗浄液容器から押し出される。洗浄液の上部の加圧ガス相は、弾力性のあるガス発条または一時的な蓄積エネルギーとして作用する。液体タンクの容器が弾力性のある壁を有しているならば、該壁も発条として作用するので、圧力逃し弁が開いていたとしても、洗浄液体はノズルを通して更に噴霧できる。
【００５５】
驚いたことに、超過圧力が僅か０．４バールであっても洗浄液を強力に押し出すことが可能であることが見出された。更に驚くべき発見であるが、０．４バールの超過圧力並びにノズル内またはノズルの手前の噴霧液の流れを少なくとも二つの流れ（斯かる流れはノズル内で少なくとも１０度の角度で互いの方向に向けられる）に分ける噴霧ノズルの使用により、ランダムに分布した噴霧液滴からなる強力な噴霧円錐が生成される。
【００５６】
追加の減圧弁を使用すれば、上部に配置されたガス相の低い超過圧力は、該ガス相の体積が膨張しても、洗浄液は押し出されるので、一定に保たれるようになる。
【００５７】
特に好ましい本発明の例示的実施形態が、以下のように実施できる。本発明の医療洗浄システムは以下の内容で構成される。
ａ）ガス浸透性の第一チャネル。
ｂ）開口手段を通して、ガス浸透可能な方法で着脱可能に圧縮ガスカートリッジに接続可能な少なくとも一つの圧縮ガスカートリッジ。
ｃ）ガス浸透性接続手段を通してガス浸透性の第一チャネルに接続される、少なくとも一つの蒸発容器または蒸発空間。
ｄ）接続手段を通してガス浸透可能な方法で蒸発容器に接続されているガス浸透性の第一チャネルからガス不浸透性の方法で切り離されている、第二のガス浸透性第二チャネル。
ｅ）ガス浸透性第三チャネルにガス浸透可能な方法で接続されている少なくとも一つの圧力逃し弁（ガス浸透性第三チャネルでガスの超過圧力が生じた場合、該超過圧力のガスを周囲の大気に放出することが可能）。
ｆ）洗浄液を含む少なくとも一つの洗浄液容器（ガス相は該洗浄液の上部に配置される）。
ｇ）ガス浸透性第三チャネルに接続され、更にガス浸透可能な方法で洗浄液タンクの容器に接続されている弾力性のあるガス浸透性接続手段。
ｈ）液体浸透可能な方法で洗浄液タンクの容器に接続され、更に液体浸透可能な方法で吐出パイプ並びにその上に配置されているノズルに接続されている、弾力性のある液体浸透性接続手段。
ｉ）洗浄液容器と吐出パイプ上に配置されているノズルとの間の洗浄液の流れを調節する、少なくとも一つのバルブ要素。
【００５８】
本実施形態では、圧縮ガスカートリッジは圧縮ガスタンクとして、洗浄液容器は液体タンクとして、チャネルは圧力リンクとして、接続手段は圧力ラインまたは液体ラインとして使用される。
【００５９】
バルブ要素はトリガーに接続されているのが好ましく、該トリガーは手動で操作され、洗浄液容器と吐出パイプ上に配置されたノズルとの間の洗浄液の流れがバルブ要素により中断されるように、少なくとも一つの発条によって非駆動状態に保持されている。
【００６０】
医療噴射装置として重要な点であるが、ガスカートリッジは非毒性のガスを含む、あるいは、非毒性のガスがガスタンク用のガスとして使用される。特にガスカートリッジ用のガスとして、アルゴン、ヘリウム、酸化窒素、二酸化炭素などが挙げられる。特に、ガスカートリッジは液体二酸化炭素を含むのが好ましい（圧縮ガスとしての二酸化炭素が好ましい）。二酸化炭素は廉価で、非毒性であり、室温で圧縮ガスカートリッジ中に液化状態で容易に貯蔵できるという特長を有している。従って、小容量の圧縮ガスカートリッジに大容量のガスを提供できる。
【００６１】
本発明によれば、洗浄液の上部に配置されるガス相は、一旦ガスタンクへの接続がなされると、あるいはガスカートリッジが開かれ圧縮ガスが上部に配置されたガス相に流れ込むと、周囲の大気と比較して１バールから１０バールの超過圧力になってもよい。
【００６２】
本発明によれば、洗浄液の上部に配置されるガス相の容量と洗浄液の容量との比は、１：１０以上、１：１以下である。
【００６３】
ガスカートリッジ、ガス浸透性チャネル（第一、第二、第三チャネル）、蒸発容器、少なくとも一つの圧力逃し弁、ガス浸透性の接続手段、吐出パイプの付属部分は、本発明では、ハウジング内に配置するのが好ましく、その場合、ハウジングは特にピストルの形をしているのが好ましい。そうすれば、医療関係者は噴霧装置を握って容易に操作できる。
【００６４】
本発明の更に好ましい実施形態では、吐出パイプは軸方向に移動可能な状態でハウジング内に配置され、その場合、吐出パイプは、縦軸の周りに少なくとも３０度の角度で回転可能に取り付けられ、かつノズルの反対側のピン端部に少なくとも一つのピンを有している。本発明では、吐出パイプの実施形態として、ピンはハウジング内の溝付ガイドに把持されているのが好ましく、ピン用の止めとして少なくとも二つの凹所が該溝付ガイドに垂直に配置されている。つまり、目的に応じて吐出パイプをハウジングに対して出したり引っ込めたりするだけで、吐出パイプの長さを変えることが出来る。従って、例えば全膝関節内部人工器官の移植などのような短い吐出パイプが必要な場合、追加の吐出パイプなしに組織部分を清掃できるし、あるいは例えば股関節ステムの移植などのように長い吐出パイプが必要な場合、吐出パイプを除去した後に組織部分を清掃できる。縦軸の周りに吐出パイプを回転することにより、ガイドに垂直に配置されている凹所に差し込みピン締切の原則に従って吐出パイプのピンを係止することにより、該ピンを所定の場所に固定することができる。
【００６５】
本発明では、噴霧装置の噴霧機能に関して、少なくとも二つの開口部を配置するのが好ましく、その場合、ノズルの内部に入って来る洗浄液は少なくとも二つの洗浄液の流れに分けられ、その流れはノズルの内部に運ばれ、ノズルの吐出開口部の前方で少なくとも１０度の角度でぶつかり合う。少なくとも二つの洗浄液の流れが互いの方向に流れる、あるいは互いの方向に射出されるので、洗浄液は最小の液滴に霧化され、統計的に分布して噴霧円錐内を移動する。その結果、洗浄液噴射ではなくランダムに分布した個々の液滴が存在するようになり、従って、清掃対象の全組織部分が個々の洗浄液滴に接触し、噴霧円錐に適切に曝されることになる。故に、噴霧装置の清掃効果は確実に信頼できる。
【００６６】
本発明の噴霧装置を使用した噴霧用噴射の生成方法も本発明に従って提供される。該方法の特徴は以下の通りである。圧縮ガスカートリッジが開放手段により開けられると、ガスカートリッジ内のガスおよび／または液化ガスがガス浸透性の第一チャネルに流れ込み、そこからガス浸透性の接続手段を通して蒸発容器に流れ、該蒸発容器内で蒸発し、蒸発容器内で形成されたガスはガス浸透性接続手段を通ってガス浸透性の第二チャネルに流れ、そこから弾力性のあるガス浸透性接続手段を通って洗浄液容器に流れ込み、その結果、１バールから１０バールの超過圧力が洗浄液容器内の洗浄液上部に配置されたガス空間で形成され、それによって、洗浄液が洗浄液容器に接続された弾力性のある接続手段によって流出パイプの中に押圧され、そこからノズルを通り、洗浄薬噴射の形で該ノズルから周囲の環境に出て行く。
【００６７】
少なくとも一つの圧力逃し弁の開放圧が１バールから１０バールに達すると、過剰な圧縮ガスは追加の圧力逃し弁を通して周囲の環境に放出できる。
【００６８】
本発明の例示的実施形態を二つの概略的な図面を参照して以下に説明するが、本発明は必ずしも斯かる図面に制限されるものではない。
【図面の簡単な説明】
【００６９】
【図１】図１は本発明による医療用噴霧装置の概略断面図を示す。
【図２】図２は本発明による医療用噴霧装置のノズルおよび望遠鏡方式の吐出パイプの概略斜視図である。
【発明を実施するための形態】
【００７０】
図１は本発明による医療用噴霧装置の概略断面図を示す。ＣＯ２圧縮ガスカートリッジ４の外部ネジ山２を収容するための内部ネジ山１付ホルダーが噴霧装置の後部面に提供される。回転ハンドル片６が、圧縮ガスカートリッジ４の回転および噴霧装置のホルダーへの該カートリッジの固定を行うため、圧縮ガスカートリッジ４の底面に固定されている。
【００７１】
中空スパイク８がホルダー内に配置されており、該スパイクは圧縮ガスカートリッジ４を開くために使用され、かつ圧縮ガス用に圧力ライン９に接続されている。圧縮ガスカートリッジ４を回転すると、それは閉鎖部（開放用に提供されている）を通って中空スパイク８へと押され、その結果、圧縮ガスカートリッジ４が開かれ、圧縮ガスカートリッジ４の圧縮ガスが中空スパイク８ひいては圧力ライン９へ流れ込む。蒸発空間１０または蒸発容器１０が圧力ライン９に配置されている。ＣＯ２ガスまたは他の雪様凝縮物の液体成分が圧縮ガスカートリッジから圧力ライン９へ移動し、そこに集められ、徐々に蒸発する。上述の構造になっているので、液体成分または雪様成分は圧力ライン９の奥深くまで貫入することがなく、従って蒸発に伴う圧力の不規則性を生じることがない。
【００７２】
圧縮ガスカートリッジ６を使用する代わりに、圧縮ガス源の接続チューブ（図示しない）、例えば圧縮ポンプおよび／または中央圧縮ガス分布装置（図示しない）を圧力ライン９に接続してもよい。通常の状況下では、蒸発空間１０は除いてもよい。
【００７３】
二つの圧力逃し弁１４、１５が圧力ライン９の更に遠位部に配置され、１バールから１０バールの制限圧力を超えると、それは外側すなわち噴霧装置の周囲環境方向に圧力ライン９を開放する。圧力逃し弁１４、１５は例えば円柱状の空室にスチール製の発条を有するボールで構成され、その場合、該ボールはボールの表面にあるスチール製の発条によって圧力ライン９の方向に押され、圧力ライン９を密閉する。該円柱状の空室は、外側すなわち噴霧装置の周囲環境に通じる、ボールで覆うことのできない少なくとも一つの接続部を有する。
【００７４】
圧力逃し弁１４、１５と蒸発空間との間に減圧弁（図示しない）を提供してもよく、そうすれば、圧力ライン９の更に遠位部における圧力を該減圧弁によって適切な最大限界ガス圧に設定できる。減圧弁ではよくあることだが、減圧弁で設定される圧力は、本実施形態で使用される減圧弁用の調整ネジ（図示しない）によって設定し、手動でそれを変更できるようにしてもよい。
【００７５】
密閉可能Ｔ片として形成される圧力逃し弁１４、１５の後、圧力ライン９は柔軟なチューブとして継続し、噴霧装置から１メートル以上延び、ストッパまたは別の接続手段を通して、頭部を下にして吊り下げられている弾力性プラスチック製の柔軟な瓶１６に接続される。創傷治療用の医療用洗浄液１８および洗浄液の上部に配置されたガス相２０が当該瓶１６の中に含まれる。
【００７６】
圧力ライン９からの超過圧力が弾力性のある瓶１６に加わり、上部に配置されたガス相２０および瓶１６を膨張させる。圧力ライン９からのガス圧並びに瓶１６の弾力性のある圧力によって、医療用洗浄液１８は加圧され、液体ライン２２を通して洗浄装置のノズル２４の方向に押し出される。本件の場合、液体ライン２２は柔軟なチューブであり、圧力ライン９の柔軟なチューブに使用されるのと同一のストッパを通して瓶１６に導入されている。該ストッパは瓶１６を密閉する。
【００７７】
医療用噴霧装置の構成部品の大半がプラスチック製のハウジング２６内に配置されており、該ハウジングは残りの部品にしっかりと接続され、ピストルグリップ２８を含むピストル形状を有している。液体ライン２２と圧力ライン９の柔軟な部分がハウジング２６の外部に配置される場合、当該液体ライン２２および外部圧力ライン９が絡まらないように、それらを共通の柔軟なチューブ（図示しない）に収容してもよい。
【００７８】
スチール製発条による押圧方式の手動操作可能なバルブ要素３０が、ハウジング２６内のノズル２４と液体ライン２２の間に配置されているが、それは回転可能に取り付けられたトリガー３２を使って操作可能である。図１において、バルブ要素３０は閉鎖状態で示されている。液体ライン２２はバルブ要素３０の後、吐出パイプ３４を通ってノズル２４に運ばれる。吐出パイプ３４は望遠鏡方式（図示しない）に拡張できるのが好ましい。更に、ノズル２４は吐出パイプ３４軸に対して傾斜し、回転可能に取り付け可能であってもよい。
【００７９】
トリガー３２を使ってバルブ要素３０を操作すると、洗浄液１８の連続ラインが瓶１６からノズル２４まで形成される。ノズル２４にはいくつかのチャネル３６が提供されているので、洗浄液１８の流れはノズル２４内でいくつかの液体の流れに分けられる。ノズル２４以後に流出する洗浄液噴射（図示しない）が、霧化空間３８すなわちノズル２４の吐出開口部において１０度と８０度の間の角度で互いにぶつかり合う、あるいは互いの方向に射出されるように、チャネル３６は案内されている。外向きの洗浄液噴射は霧化空間３８の内部壁に沿って走り、ノズル２４の中央吐出開口部（図１の左側）の中央主要噴射部分でぶつかり合う。ぶつかり合った洗浄液噴射は霧化空間３８の運動エネルギーの故に霧化され、微細な洗浄液滴からなる噴霧円錐が形成され、それは前方の吐出開口部を通って放出される。
【００８０】
従って、医療用洗浄液の噴霧円錐は、モーターあるいは他の常に移動する部品を必要とすることなく、最も簡単な方法を用いた装置によって生成可能である。該構造体は、実質的に、簡単な射出成形工程で製作可能なプラスチック部品を使って製造可能である。
【００８１】
図２は本発明による医療用噴霧装置のノズル５２および望遠鏡方式の吐出パイプ５４の概略斜視図である。吐出パイプ５４は、噴霧装置のハウジング５６から突出している。噴射装置の残りの部分は、例えば図１の構造体に対応する。ノズル５２は外的に回転対称である。
【００８２】
図２に示すように、ノズル５２の内部においては、吐出パイプ５４を流れる医療用洗浄液は６つの部分流に分けられ、該部分流はノズルの前面にある６つの開口部を通して吐出される。ノズル５２の前面はノズル５２の中心に向かって湾曲している。該前面の前方には、透明プラスチック製の円錐状のキャップが配置されている。該プラスチックは透明である必要はないが、本件の場合、図２に描かれたノズルの機能の描写を容易にする。円錐状のキャップとノズル５２の前面との間に、霧化空間５７が形成される。霧化空間５７は、開口部から出た液体噴射がぶつかり合う中心吐出開口部を有している。
【００８３】
ノズル５２の内部の７つの液体ラインは、真ん中の主要噴射用の液体ラインを除いて、開口部領域において、ノズル５２の外形の対称軸方向に傾斜している。ラインの傾斜は、ノズル５２の外形の対称軸方向すなわち中心の主要噴射に対して全て同じ角度を有しており、６つの開口部は、ノズル５２の前面において、対称軸すなわち主要噴射の周りに等間隔で対称的に配置されている。
【００８４】
従って、洗浄液が噴霧装置によってノズル５２の背面からノズル５２内に押し出されると、開口部からやって来る７つの洗浄液噴射（図２でラインで表されている）は全てある領域（吐出開口部）でぶつかり合い、霧化空間５７で霧化され、ノズルの前方で医療液の噴霧円錐を形成する。
【００８５】
異なる使用場所で普遍的に使用可能な噴霧装置を作製するため、望遠鏡方式の構造を有する吐出パイプ５４が使用される。この目的のため、吐出パイプ５４に対するノズル５２の傾斜は、本発明に従って調整可能であるのが好ましい。
【００８６】
上述の説明、特許請求の範囲、図面および例示的実施形態で開示された本発明の特徴は、本発明を種々の実施形態で実施するにあたり、個別的にも任意の組み合わせにおいても不可欠である。
【符号の説明】
【００８７】
１．内部ネジ山
２．外部ネジ山
４．圧縮ガスタンク／圧縮ガスカートリッジ
６．回転ハンドル片
８．中空スパイク
９．圧力ライン
１０．蒸発空間
１４．圧力逃し弁
１５．圧力逃し弁
１６．瓶
１８．医療用洗浄液
２０．上部配置のガス相
２２．液体ライン
２４．ノズル
２６．ハウジング
２８．ピストルグリップ
３０．バルブ要素
３２．トリガー
３４．吐出パイプ
３６．チャネル
３８．霧化空間
５２．ノズル
５４．吐出パイプ
５６．ハウジング
５７．霧化空間
５８．噴霧円錐
【図１】
2014236973.tif 000003
【図２】
2014236973.tif 000004